(57)【要約】【課題】潤滑油を含有するスポンジへの押圧力が安定で長時期に維持可能になり、且つ作製が容易で、組付け作業も容易にすること。【解決手段】ブロックの端部に取付けた潤滑装置がレールに組み付けられる潤滑保持装置付きリニアガイドウェーにおいて、前記潤滑装置は、ハウジングと、潤滑油含有素子と、磁石とを含み、前記磁石が潤滑油含有素子の近傍に設置され、前記磁石の磁力により、潤滑油含有素子が押されてレールと持続に接触する。【選択図】図３
2007016801.tif 000002
【特許請求の範囲】
【請求項１】
ブロックの端部に取付けた潤滑装置がレールに組み付けられる潤滑保持装置付きリニアガイドウェーにおいて、
前記潤滑装置は、ハウジングと、潤滑油含有素子と、磁石とを含み、前記磁石が潤滑油含有素子の近傍に設置され、前記磁石の磁力により、潤滑油含有素子が押されてレールと持続的に接触することを特徴とする、
潤滑保持装置付きリニアガイドウェー。
【請求項２】
前記潤滑装置は、ハウジングと、潤滑油含有素子と、磁石と、金属磁性素子とから構成され、
前記ハウジングは、内部に取付け空間を有し、前記取付け空間の内部には定位コラムが複数に設けてあり、前記定位コラムにはレールに面する溝が設けてあり、前記溝と取付け空間の壁面との間には予定距離を有し、
前記潤滑油含有素子は、ハウジングの取付け空間内に詰み込まれ、前記定位コラムの溝に応じて合い溝が設けてあり、且つ内側へ凸設した突出部によってレールの玉溝と有効に接触し、前記合い溝に対応する前記潤滑油含有素子の外面には前記取付け空間の壁面に対応する当接溝が凹設してあり、
前記磁石は、ハウジングの定位コラムの溝内に設置され、
前記金属磁性素子は、前記潤滑油含有素子の外面の当接溝内に設置され、ハウジングの溝内に設置された磁石に吸引されることを特徴とする、請求項１に記載の潤滑保持装置付きリニアガイドウェー。
【請求項３】
前記潤滑装置は、ブロックの両端のエンドプレートと、スクレーパとの間に取付けられ、ハウジングと組合蓋とから構成されたものであり、前記ハウジングの一側にはオイル補足穴が開設してあり、前記取付け空間はレールに応じて開口が設けてあることを特徴とする、請求項２に記載の潤滑保持装置付きリニアガイドウェー。
【請求項４】
前記潤滑装置のハウジングに開設されたオイル補足穴はゴムで密封され、オイルを補足するときには、注射針で前記ゴムを挿通してオイルを注入することを特徴とする、請求項３に記載の潤滑保持装置付きリニアガイドウェー。
【請求項５】
前記レールは金属製品であり、前記磁石は潤滑油含有素子の外面の収容窪み内に設置され、前記収容窪みが金属製のレールに近接することを特徴とする、請求項１に記載の潤滑保持装置付きリニアガイドウェー。
【発明の詳細な説明】
【技術分野】
【０００１】
本発明は、リニアシステムに使用される潤滑保持装置に係り、特に、磁力原理を利用し、リニアガイドウェーが運行して潤滑油含有素子が磨耗されても、潤滑油含有素子は潤滑油をレールの玉溝へ持続的に供給できる潤滑保持装置に関するものである。
【背景技術】
【０００２】
目下、市販しているリニアガイドウェーは、ブロックの両端には潤滑油を含有するスポンジが設置された潤滑油槽が設けてあり、内部に設置された潤滑油を含有するスポンジはレールと長時期に摩擦すると隙間が発生され、且つこの隙間の原因で、スポンジにある潤滑油はレールに到達できないので、上記課題について改善した新型の製品は三種類ある。
【０００３】
その一つは、潤滑油槽内にバネ機構を取付け、前記バネ機構によって潤滑油を含有するスポンジを押してレールと有効に接触させ、その欠点は、構造が複雑なので、組み付けは極めて不便であり、且つ磨耗に従ってバネの弾力が弱くなり、そして長時期に使用されたとバネが弾性疲労になる原因で、スポンジへの押圧力が不安定である（米国特許ＵＳ５５４７２８５号）。
【０００４】
二つ目は、潤滑油槽内にコ字形のバネ片を取付け、このコ字形バネ片によってスポンジを外から内へ押圧し、これにより、潤滑油を含有するスポンジをレールと有効に接触させ、その欠点は、その押圧力はスポンジの磨耗に従って弱くなり、且つバネ片には弾性疲労の問題もある（米国特許ＵＳ６６７２７６４号）。
【０００５】
三つ目は、潤滑油槽内に弾性を持つゴムを取付け、前記ゴムによってスポンジを外から内へ押圧し、これにより、潤滑油を含有するスポンジをレールと有効に接触させ、その欠点は、その押圧力はスポンジの磨耗に従って弱くなり、且つバネ片には弾性疲労の問題もあり、ゴムの耐天候性が良くないので、変質し易い（米国特許ＵＳ６６７２７６４号）。
【発明の開示】
【発明が解決しようとする課題】
【０００６】
本発明の主な目的は、潤滑油を含有するスポンジへの押圧力が安定で長時期に維持可能な潤滑保持装置付きリニアガイドウェーを提供することにある。
【０００７】
本発明の次の目的は、作製が容易になり、組付け作業も容易になる潤滑保持装置付きリニアガイドウェーを提供することにある。
【課題を解決するための手段】
【０００８】
上記目的を達成するためになされた本願の発明は、ブロックの端部に取付けた潤滑装置がレールに組み付けられる潤滑保持装置付きリニアガイドウェーにおいて、前記潤滑装置は、ハウジングと、潤滑油含有素子と、磁石とを含み、前記磁石が潤滑油含有素子の近傍に設置され、前記磁石の磁力により、潤滑油含有素子が押されてレールと持続的に接触することを特徴とする潤滑保持装置付きリニアガイドウェーであることを要旨としている。
【０００９】
本願の発明では、前記潤滑装置は、ハウジングと、潤滑油含有素子と、磁石と、金属磁性素子とから構成され、前記ハウジングは、内部に取付け空間を有し、前記取付け空間の内部には定位コラムが複数に設けてあり、前記定位コラムにはレールに面する溝が設けてあり、前記溝と取付け空間の壁面との間には予定距離を有し、前記潤滑油含有素子は、ハウジングの取付け空間内に詰み込まれ、前記定位コラムの溝に応じて合い溝が設けてあり、且つ内側へ凸設した突出部によってレールの玉溝と有効に接触し、前記合い溝に対応する前記潤滑油含有素子の外面には前記取付け空間の壁面に対応する当接溝が凹設してあり、前記磁石は、ハウジングの定位コラムの溝内に設置され、前記金属磁性素子は、前記潤滑油含有素子の外面の当接溝内に設置され、ハウジングの溝内に設置された磁石に吸引されることを特徴とする請求項１に記載の潤滑保持装置付きリニアガイドウェーであることを要旨としている。
【００１０】
本願の発明では、前記潤滑装置は、ブロックの両端のエンドプレートと、スクレーパとの間に取付けられ、ハウジングと組合蓋とから構成されたものであり、前記ハウジングの一側にはオイル補足穴が開設してある。前記取付け空間はレールに応じて開口が設けてあることを特徴とする請求項２に記載の潤滑保持装置付きリニアガイドウェーであることを要旨としている。
【００１１】
本願の発明では、前記潤滑装置のハウジングに開設されたオイル補足穴はゴムで密封され、オイルを補足するときには、注射針で前記ゴムを挿通してオイルを注入することを特徴とする請求項３に記載の潤滑保持装置付きリニアガイドウェーであることを要旨としている。
【００１２】
本願の発明では、前記レールは金属製品であり、前記磁石は潤滑油含有素子の外面の収容窪み内に設置され、前記収容窪みが金属製のレールに近接することを特徴とする請求項１に記載の潤滑保持装置付きリニアガイドウェーであることを要旨としている。
【発明の効果】
【００１３】
本発明に係る潤滑保持装置付きリニアガイドウェーによれば、潤滑油を含有するスポンジへの押圧力が安定で長時期に維持可能になり、且つ作製が容易になり、組付け作業も容易になる。
【発明を実施するための最良の形態】
【００１４】
以下、添付図面を参照して本発明の好適な実施の形態を詳細に説明する。
【００１５】
まず、図１乃至図４を参照する。本発明に係る潤滑保持装置付きリニアガイドウェーは、図２に示すように、ブロック１と、玉溝２１が設けたレール２と、二つのエンドプレート３と、二つのスクレーパ４と、潤滑装置５とを含む。
【００１６】
前記潤滑装置５は、ブロック１の両端のエンドプレート３と、スクレーパ４との間に取付けられ、ハウジング６と、潤滑油含有素子７と、二つの磁石８と、二つの金属磁性素子９と、ハウジング６の組合蓋１０とから構成される。
【００１７】
前記ハウジング６と組合蓋１０との組合は取付け空間６１を形成し、前記ハウジング６の一側にはオイル補足穴が６３開設してある。前記取付け空間６１はレール２に応じて開口６４が設けてあり、且つ前記取付け空間６１の内部には定位コラム６５が複数に設けてあり、前記定位コラム６５にはレール２に面する溝６２が二つ設けてあり、前記溝６２と取付け空間６１の壁面との間には予定距離を有し、二つの溝６２の開口は互いに対向する。
【００１８】
前記潤滑油含有素子７は、潤滑油を含有するスポンジであり、ハウジング６の取付け空間６１内に詰み込まれ、前記定位コラム６５の溝６２に応じて合い溝７２が設けてあり、且つ内側へ凸設した突出部７１が取付け空間６１の開口６４に延び込み、突出部７１とレール２の玉溝２１とは有効に接触し、前記合い溝７２に対応する前記潤滑油含有素子７の外面には前記取付け空間６１の壁面に対応する当接溝７３が凹設してある。
【００１９】
前記磁石８は、ハウジング６の定位コラム６５の溝６２内に設置される。
【００２０】
前記金属磁性素子９は、前記潤滑油含有素子７の外面の当接溝７３内に設置され、ハウジング６の溝６２内に設置された磁石８に吸引される。
【００２１】
また、図３と図４に示すのは本発明の使用状態を示す概略図であり、本発明は、磁石８によって潤滑油含有素子７の近傍の当接溝７３内に設置された金属磁性素子９を吸引し、前記磁力により金属磁性素子９がレール２の玉溝２１へ吸引され、且つ金属磁性素子９により金属磁性素子９とレール２との間に介在する潤滑油含有素子７がレール２へ押され、そうすると、潤滑油含有素子７にある突出部７１とレール２にある玉溝２１とは有効に接触し潤滑効果が持続し、これにより、潤滑油含有素子７が磨耗されても、潤滑油は潤滑油含有素子７からレール２の玉溝２１の表面へ持続的に供給でき、本発明の磁石８の金属磁性素子９に対する磁力は疲労などの問題がなく、且つ潤滑油含有素子７が磨耗の厚さが大きいほど、磁石８と金属磁性素子９との距離が近くなり、磁石８の金属磁性素子９に対する吸引力も強くなり、だから、本発明によれば、潤滑油を含有するスポンジへの押圧力が安定で長時期に維持可能になる。
【００２２】
また、本発明の最後のハウジング６の組合蓋１０は、ハウジング６のレール２の縦方向に向く開口を被る。
【００２３】
また、潤滑油含有素子７はスポンジなどの多孔質素材で作製され、前記潤滑装置５の側面にはオイル補足穴６３が開設してあり、前記オイル補足穴６３はゴムで密封され、オイルを補足するときには、注射針で前記ゴムを挿通してオイルを注入してもいいし、またはノズルによって注油してもいい（図示せず）。
【００２４】
本発明では、リニアガイドウェーのブロック１の端面に一つの潤滑装置５が取付けてあり、前記潤滑装置５はブロック１と一緒にレール２で運動し、且つ潤滑油含有素子７は、玉溝２１と接触すると同時に、その内部にある潤滑油が玉溝２１へ供給されて玉溝２１を潤滑し、だから、本発明によれば、潤滑油含有素子７の磨耗による押圧力低下の問題を解決でき、且つ磁石の吸引力を押圧力として、その押圧力が安定で長時期に維持可能になる。
【００２５】
最後に、図５と図６を参照する。本発明は金属磁性素子の代わりに金属レール２を使用してもよく、これは、潤滑油含有素子７の外面の収容溝７４に磁石８を設置し、前記収容溝７４は深くて金属レール２に近接し、これにより、磁石８は金属レール２を吸引して潤滑油含有素子７を圧迫し当接して潤滑効果を有し、また、定位コラム６５のレール２に面する二つの溝６２は磁石８の位置を限定する構造になり、この実施例は、上記実施例と同様な効果を有し、且つ部材はもっと簡単化になり、磁石８によって金属磁性素子の代わりに金属レール２を直接に吸引する設計によれば、深い収容溝７４は金属レール２に近接するので、磁力がより強いであり、これにより、磁石８の寸法を小さくすることが可能になる。
【図面の簡単な説明】
【００２６】
【図１】本発明の分解斜視図である。
【図２】本発明の組合状態を示す斜視図である。
【図３】本発明に係る潤滑装置の分解斜視図である。
【図４】本発明の潤滑箇所の説明図である。
【図５】本発明の他の実施例の潤滑装置の分解斜視図である。
【図６】本発明の他の実施例の潤滑箇所の説明図である。
【符号の説明】
【００２７】
１        ブロック                    ２        レール
２１      玉溝                        ３        エンドプレート
４        スクレーパ                  ５        潤滑装置
６        ハウジング                  ６１      取付け空間
６２      溝                          ６３      オイル補足穴
６４      開口                        ６５      定位コラム
７        潤滑油含有素子              ７１      突出部
７２      合い溝                      ７３      当接溝
７４      収容窪み                    ８        磁石
９        金属磁性素子
【図１】
2007016801.tif 000003
【図２】
2007016801.tif 000004
【図３】
2007016801.tif 000005
【図４】
2007016801.tif 000006
【図５】
2007016801.tif 000007
【図６】
2007016801.tif 000008